(57)【要約】【課題】  本発明は、安価で、排水速度の速い給湯装置の継手部材に関するものである。【解決手段】  機器内の熱交換器や弁などの給湯制御部材と、機器外の配管とを接続する継手部材を有し、継手部材は、継手と過圧逃し弁を一体に構成し、排水用のバルブを別に設ける構成とした給湯装置の継手部材。【選択図】  図１
2015045469.tif 000002
【特許請求の範囲】
【請求項１】
給湯機の配管を継ぐ継手であって、
内部の水を排水するための排水バルブと、
内部の水の圧力を逃がす過圧逃がし弁と、
前記配管の一方に接続される第１の接続口と、前記配管の他方に接続される第２の接続口と、前記第１の接続口から第２の接続口へ至る主通路とが形成された継手ボディと、
を備えた給湯機用継手において、
前記主通路から前記排水バルブへ至る排水穴が、前記継手ボディの前記第１の接続口と第２の接続口との間に形成され、
前記主通路から前記過圧逃がし弁を収納する収納部へ至るブロー穴が、前記継手ボディの前記排水穴が形成された位置とは異なる位置に形成されたことを特徴とする給湯機用継手。
【請求項２】
請求項１において、
前記ブロー穴の径＜排水穴の径＜主流路の径の関係となるように構成されたことを特徴とする特徴とする給湯機用継手。
【請求項３】
請求項１において、
前記ブロー穴が前記主通路の軸方向に対して、略垂直又は下流側を向いて開口するように構成されたことを特徴とする特徴とする給湯機用継手。
【請求項４】
請求項３において、
前記ブロー穴と前記主通路との接続部が、前記排水穴と前記主通路との接続部より前記主通路の上流側または下流側に設けられたことを特徴とする給湯機用継手。
【発明の詳細な説明】
【技術分野】
【０００１】
本発明は、給湯装置の継手に関するものである。
【背景技術】
【０００２】
従来の給湯装置は、機器内の熱交換器や弁などの給湯制御部材と、機器外の配管とを接続する継手部材が設けられ、継手部材には脱着可能な過圧逃し弁が設けられている。
【先行技術文献】
【特許文献】
【０００３】
【特許文献１】特許３７４４５５７号公報
【特許文献２】特開２０１０−２８６１８１号公報
【発明の概要】
【発明が解決しようとする課題】
【０００４】
図４は、従来の継手部材のＣ−Ｃ断面図である。従来の継手部材５０は過圧逃し弁５２を別体で構成し、ねじ込みで装着する構成となっており、筒状の棒材である弁箱５７の中に弁用ゴム５３、ゴム座５４、ばね５５、バネ押さえ５６を設け、配管内の圧力がばね押し圧より大きくなると開弁し、配管内圧力を下げるように動作する構成としていた。このため、部品点数が多く、高価なものとなっていた。
【０００５】
また、過圧逃し弁５２は排水用バルブとしても機能し、ねじ込みを緩めると、筒状の棒材の中に水が流入し、配管や貯湯タンク内の水を排水可能な構成となっていた。
【０００６】
しかしながら、排水は、過圧逃し弁５２を構成するゴム座５４、ばね５５の収納部を通過するため、流路抵抗が大きく、排水には非常に多くの時間を有するという問題があった。
【０００７】
また、排水時に継手部材５０から過圧逃し弁５２をはずしてしまうと、排水が飛散し、周辺を水浸しにしてしまうという問題があった。
【０００８】
本発明の目的は、安価で、排水速度の速い給湯装置の継手を提供することにある。
【課題を解決するための手段】
【０００９】
上記目的は、給湯機の配管を継ぐ継手であって、内部の水を排水するための排水バルブと、内部の水の圧力を逃がす過圧逃がし弁と、前記配管の一方に接続される第１の接続口と、前記配管の他方に接続される第２の接続口と、前記第１の接続口から第２の接続口へ至る主通路とが形成された継手ボディと、を備えた給湯機用継手において、前記主通路から前記排水バルブへ至る排水穴が、前記継手ボディの前記第１の接続口と第２の接続口との間に形成され、前記主通路から前記過圧逃がし弁を収納する収納部へ至るブロー穴が、前記継手ボディの前記排水穴が形成された位置とは異なる位置に形成されたことにより達成される。
【発明の効果】
【００１０】
本発明によれば、安価で、排水速度の速い給湯装置の継手部材を提供することができる。
【図面の簡単な説明】
【００１１】
【図１】実施形態に係わる継手部材の外装図である。
【図２】実施形態に係わる図１に示す継手部材のＡ−Ａ断面図である。
【図３】実施形態に係わる図１に示す継手部材のＢ−Ｂ断面図である。
【図４】従来の継手部材のＣ−Ｃ断面図である。
【発明を実施するための形態】
【００１２】
以下、実施例を図面を用いて説明する。
【００１３】
図１は、継手部材の外装図である。図２は継手部材のＡ−Ａ断面図である。図３は継手部材のＢ−Ｂ断面図である。
【００１４】
図１〜３に示すように、継手１は、給湯機（図示なし）の配管を継ぐものであって、主流路２１が形成された継手ボディ４と過圧逃し弁部３と排水バルブ２とから構成されている。継手ボディ４の片端と他端には、給湯機の配管と主流路２１とを接続する接続する為の接続口４８、４９が形成されている。
【００１５】
過圧逃し弁部３には、主流路２１に対し極小径のブロー穴２３が外部に貫通しているが、ゴム座６に納められた弁ゴム５とばね７の反発力によりブロー穴２３を閉塞するように、蓋８とねじ９により固定されている。ばね７は主流路２１内の圧力が所定以上の圧力になった場合に開弁するように決められている。開弁時には、主流路２１内の湯水は、ブロー穴２３を経由して、蓋８に開けられた穴より外部へ放出される。ブロー穴２３の径はより小さい方が過圧逃し弁部３を小さくできるが、詰まりを考慮するとφ１程度がよい。
【００１６】
排水バルブ２は、Ｏリング座１０とＯリング１１より構成されている。主流路２１に対し小径の排水穴２２が外部に貫通しているが、Ｏリング座１０を閉め、Ｏリング１１により漏水しないように配されている。
【００１７】
Ｏリング座１０は、筒状の棒材になっており、Ｏリング座１０を緩めると、Ｏリング座１０の中に主流路２１内の湯水が排水穴２２を経由して流入し、配管や貯湯タンク内の水を排水できる。
【００１８】
排水穴２２の径はより大きい方が排水が早くできるが、排水時に工具等を準備しなくてもいいように手で回せる程度にした方がよい。例えば、ブロー穴２３の径＜排水穴２２の径＜主流路２１の径である。
【００１９】
Ｏリング座１０の排水側の径をホースが接続可能な形状にしておき、排水時にホースを接続すれば、周囲に水の悲惨を最小限にすることができる。
【００２０】
このように、継手と過圧逃し弁を一体に構成し、排水用のバルブを別に設ける構成とすることで、安価で、排水速度の速い給湯装置の継手部材を提供することができる。
【００２１】
さらには、ブロー穴２３と主通路２１との接続部が、排水穴と主通路との接続部より上流側または下流側に設けられていても良い。
【００２２】
また、ブロー穴２３が主通路２１の軸方向に対して、略垂直又は下流側を向いて開口するように構成されていると、水の中のゴミがブロー穴２３に入りにくいので良い。
【符号の説明】
【００２３】
１  継手
２  排水バルブ
３  過圧逃し弁部
４  継手ボディ
２１  主流路
２２  排水穴
２３  ブロー穴
３６  過圧逃がし弁収納部
５０  従来の継手部材
５２  従来の過圧逃し弁部
【図１】
2015045469.tif 000003
【図２】
2015045469.tif 000004
【図３】
2015045469.tif 000005
【図４】
2015045469.tif 000006